(57)【要約】      （修正有）【課題】降雨時にも窓を開けっぱなしにして換気を行う窓開口用カバーを提供する。【解決手段】窓開口用カバー２０は、家屋０３に設けた窓枠１２と、窓枠１２に設けた開閉自在な窓１３ａ、１３ｂと、窓１３ａ、１３ｂの開閉によって形成される開口１４とを備えてなり、開口１４とに間隙１５を設けつつ開口１４を閉じるように板材２４を取り付けることによって屋外から屋内への空気００の流路を形成する。【選択図】図３
0003234730.tif 000002
【実用新案登録請求の範囲】
【請求項１】
家屋に設けた窓枠と、該窓枠に設けた開閉自在な窓と、該窓の開閉によって形成される開口とを備えてなり、該開口とに間隙を設けつつ前記開口を閉じるように板材を取り付けることによって屋外から屋内への空気の流路を形成することを特徴とする窓開口用カバー。
【請求項２】
前記窓枠の上部と下部にそれぞれ設けるガイド部材と所定の寸法関係で対応する被ガイド部材を設けることによって、工具を使用せずに脱着自在とすることを特徴とする請求項１記載の窓開口用カバー。
【請求項３】
前記板材の材質を樹脂とすることを特徴とする請求項１記載または請求項２記載の窓開口用カバー。
【請求項４】
両側に補強フレームを設けることを特徴とする請求項１ないし請求項３のいずれか１項に記載の窓開口用カバー。
【請求項５】
前記窓枠に前記ガイド部材を取り付けることを特徴とする請求項１ないし請求項４のいずれか１項に記載の窓開口用カバー。
【請求項６】
前記板材の材質を形板ガラスにすることを特徴とする請求項１記載または請求項２記載の窓開口用カバー。
【請求項７】
アルミサッシ網戸の金網の一部を上下方向に前記板材を取り付けることを特徴とする請求項１記載の窓開口用カバー。
【請求項８】
上下に戸車の前記被ガイド部材を取り付けることを特徴とする請求項７記載の窓開口用カバー
【考案の詳細な説明】
【技術分野】
【０００１】本考案は、家屋に設置する窓の換気に関するものである。
【背景技術】
【０００２】従来窓を使用した換気は、換気の際に必要な雨除けとして、網戸にアクリル板を取り付けて空気の流路を形成する方法がある。（特許文献１参照）
また、網戸枠外側に取り付けるブラインドパネルがある。（特許文献２参照）
【先行技術文献】
【０００３】
【特許文献１】登録実用新案第３２２８８４８号広報
【特許文献２】特開２０１６−１２１５１７広報
【考案の概要】
【考案が解決しようとする課題】
【０００４】一般住宅では、たとえば、暑い夏の夜中に窓を開け放しにする際に、室内への虫の侵入を防ぐために、窓の屋外側に網戸を取り付けすることが多く、降雨の場合には、網戸からの雨除けのために、背景技術に記載のような技術が開発されている。【０００５】しかし、近年の新型コロナ禍では、不特定多数の客が出入りする店舗や職場においても天候を問わず常時換気が求められるという社会的なニーズが発生しており、高所のように網戸が不要な場所においても、網戸の有無にかかわらず窓の開口に対する雨除けがニーズとなってきている。【０００６】そこで、本考案は、網戸の有無にかかわらず換気のために開口を設ける窓に対して、清掃や部材の交換といった周辺部分の取り扱いを容易にする単純な構造によって、雨除け性能の向上と換気性能の向上を図るという課題を安価で容易に解決を図るものである。
【課題を解決するための手段】
【０００７】かかる目的を達成するためのこの出願に係る第１考案の構成は（請求項１に係る考案をいう、以下同じ）、家屋に設けた窓枠と、窓枠に設けた開閉自在な窓と、窓の開閉によって形成される開口とを備えてなり、開口とに間隙を設けつつ開口を閉じるように板材を取り付けることによって屋外から屋内への空気の流路を形成することをその要旨とする。【０００８】窓枠の上部と下部にそれぞれ設けるガイド部材と所定の寸法関係で対応する被ガイド部材を設けることによって、工具を使用せずに脱着自在とすることができる。【０００９】板材の材質を樹脂とすることができる。【００１０】両側に補強フレームを設けてもよい。【００１１】窓枠に別途加工部材を取り付けることによってガイド部材を形成することができる。【００１２】板材の材質を形板ガラスにすることができる。【００１３】アルミサッシ網戸の金網の一部を上下方向に板材を取り付けることによって形成してもよい。【００１４】上下に戸車の被ガイド部品を取り付けることができる。
【考案の効果】
【００１５】かかる第１考案の構成によるときは、窓開口用カバーの板材が降雨時に雨を跳ね返すことによって開口から屋内への雨水の侵入を防ぐラビリンスシール型のシール構造を形成するとともに、窓開口用カバー側面から流入して窓に当たる空気が方向を変えて、間隙を介して開口から屋内へ流入するという流路を形成することによって屋内の換気が可能となる。【００１６】工具を使用せずに窓開口用カバーを脱着することができるため、窓周辺の清掃が容易に行え、必要時の交換も容易になる。
既設のアルミサッシ網戸の枠に設けられたガイド部材を使用することができる。【００１７】樹脂製の窓開口用カバーは、軽くて扱いやすい。【００１８】金属製の補強フレームは、樹脂製の板材の変形を防ぐとともに、損傷が起こりやすい板材の端部を保護することができる。【００１９】たとえば、トイレや風呂といったデリケートな場所での窓の開口を隠すことができる。【００２０】市販の標準化されたアルミサッシの網戸を改造して窓開口用カバーを取り付けることができる。【００２１】市販の標準化されたアルミサッシの引き違い窓における固定側と開閉側の窓位置を逆にした場合でも、窓開口用カバーを天地を逆にすることによって使用することができる。
【図面の簡単な説明】
【００２２】
【図１】全体構造説明図
【図２】全体構造説明図
【図３】横断面構造説明図
【図４】縦断面構造説明図
【図５】全体構造説明図
【図６】全体構造説明図
【図７】横断面構造説明図
【図８】全体構造説明図
【図９】全体構造説明図
【図１０】全体構造説明図
【考案を実施するための形態】
【００２３】以下、図面を以って考案の実施の形態を説明する。
図面は、市販の標準化されたいわゆるアルミサッシの引き違い窓の構造を単純化して作成している。
【００２４】窓開口用カバー２０は、上部に被ガイド部材２２と下部に被ガイド部材２３が設けられた金属製のフレーム２１の内側に板材２４が取り付けられている（図１）。
板材２４は、用途に応じて材質を樹脂にしたり、形板ガラスにすることができる。
【００２５】窓開口用カバー２０は、家屋０３に設けた窓枠１２と、窓枠１２に設けた開閉自在な窓１３ａ、１３ｂと、窓１３ａ、１３ｂの開閉によって形成される開口１４とを備えてなり、開口１４とに間隙１５を設けつつ開口１４を閉じるように板材２４を取り付けることによって屋外０１から屋内０２への空気００の流路を形成する（図２、図３）。
なお、図２と図３とでは、窓開口用カバー２０が板材２４と同一として示してあり、また、開口１４は、固定側の窓１３ｂに対して窓１３ａを開閉することによって形成される。
屋外の空気００は、窓開口用カバー２０側面から流入して窓１３ａ、１３ｂに当たる空気００が方向を変えて、間隙１５を介して開口１４から屋内０２へ流入するという流路を形成し、同時に室内から空気００が逆方向に屋外に流出する。
【００２６】窓開口用カバー２０は、上部に設けられている溝形状の被ガイド部材２２と所定の寸法関係で対応し窓枠１２に設けられているレール状のガイド部材１２ａにはまりあうことによって、上部の横方向の姿勢が規制されており、同様に、下部に設けられている戸車の被ガイド部材２３、２３が形成する溝形状と所定の寸法関係で対応するレール状のガイド部材１２ｂの上に載ってはまりあうことによって、縦方向に支持され下部の横方向の姿勢も規制されている（図４）。
【００２７】上部の被ガイド部材２２（幅ｗ１／深さｄ１）とガイド部材１２ａ（厚みｔ１／高さｈ１）と、下部の被ガイド部材２３、２３（幅ｗ２／深さｄ２）とガイド部材１２ｂ（厚みｔ２／高さｈ２）とにおける所定の寸法関係は、部材が剛体という条件において、両方の部材がはまりあうためにｗ１＞ｔ１、ｗ２＞ｔ２が成立し、窓開口用カバー２０が縦方向に脱着自在に動くためには、被ガイド部材２２とガイド部材１２ａとの重なり寸法をｅとすると、ｄ１−ｅ＞ｄ２、ｈ１−ｅ＞ｄ２が成立する。
【００２８】窓開口用カバー２０は、深さｄ２以上持ち上げて横方向に傾けると、被ガイド部材２２（幅ｗ１／深さｄ１）とガイド部材１２ａ（厚みｔ１／高さｈ１）が形成する角度αで、被ガイド部材２３、２３がガイド部材１２ｂから外れ、被ガイド部材２２がガイド部材１２ａから外れるまで下方向に引き抜くことによって取り外すことができ、逆に、角度αに傾けて被ガイド部材２２をガイド部材１２ａにはめあわせつつ持ち上げて、被ガイド部材２３、２３をガイド部材１２ｂに載せれば、取り付けることができる（図５）。
【００２９】樹脂を切断しただけの窓開口用カバー２０は、板材２４と一体化して上部と下部にそれぞれ被ガイド部材２２、２３を形成しており、窓枠１２に取り付けられるガイド部材１２ａ、１２ｂによって姿勢が規制され、両側に補強フレーム２１ａ、２１ａが設けられている（図２、図６）。
なお、図６は、カバー２０にガイド部材１２ａ、１２ｂをはめあわて、両側から補強フレーム２１ａ、２１ａをはめあわせようとしている状態と、ガイド部材１２ａ、１２ｂを介してカバー２０を窓枠１２に取り付けようとしている状態を示している。
【００３０】この場合、窓開口用カバー２０は、上部にレール形状の被ガイド部材２２と下部に下向きのレール形状の被ガイド部材２３が形成され、弾性的な溝形状を形成するガイド部材１２ａ、１２ｂが変形しつつ被ガイド部材２２、２３と所定の寸法関係で対応することによって、脱着自在となっている。ただし、弾性体の窓開口用カバー２０が脱着の際に窓開口用カバー２０自体が変形する場合や、同様に、ガイド部材１２ａ、１２ｂの溝の形状が弾性変形する場合には、ガイド部材１２ａ、１２ｂと対応する被ガイド部材２２、２３との所定の寸法関係が剛体と異なったものとなる。
【００３１】窓開口用カバー２０は、アルミサッシ網戸の金網２５の一部を上下方向に板材２４を取り付けている（図８）。
なお、前述「板材２４を取り付けている」が意味することは、完全に交換する場合や、金網２５の上から被せられている場合も含む。
【００３２】市販のアルミサッシの引き違い窓１３ａ、１３ｂは、屋外側を固定側の窓１３ｂとして屋内側の窓１３ａを開閉するように設計されており、図示しない一対の施錠部品が取り付けられているため、左右方向の位置が予め定まっている。通常は、屋内から見て左側に固定側の窓１３ｂと右側に開閉用の窓１３ａが取り付けられる（図３）。
そのため、窓１３ｂは、枠１２と接触する端面１３ｂ１にシール性を確保するために図示しない溝形が形成され、逆側の端面１３ｂ２が平たんに形成されており、枠１２に当たるまで屋内側から見て右側に移動させると、枠１２との間に虫が入り込む隙間が生じる（図７）。
窓１３ａを屋内側から見て左側で開閉するために、窓１３ｂは、枠１２との隙間を塞ぐ部材１２ｃを枠１２の側面に取り付けている。
【００３３】表側と裏側がある窓開口用カバー２０は、上下に同一の溝形状の被ガイド部材２２、２２の内部に、上下に各２個の戸車の被ガイド部材２３、２３が埋め込まれるように取り付けられている（図９）。
表側と裏側がある窓開口用カバー２０は、窓１３ａを屋内側から見て右側に取り付ける場合には、上部の戸車の被ガイド部材２３、２３を取り外しして窓開口用カバー２０の板材２４が屋内側から見て右側になるように取り付け、窓１３ａを逆の左側に取り付ける場合には、窓開口用カバー２０の天地を逆にして、上部の戸車の被ガイド部材２３、２３を取り外しして窓開口用カバー２０の板材２４が逆になるように取り付ける（図３、図７）。
【考案を実施するための形態】
。
【００３４】家屋０３にある既設の一式の窓１０、１０…に窓開口用カバー２０、２０…を取り付けて、換気扇３０のあるたとえば、台所、トイレ、洗面所まで空気００の流路を屋内０２に設ければ、常時一方向に効率よく空気を流すことが容易にできる。悪天候の場合でも開口サイズを調整すれば屋内を快適な状態に維持することができる（図１０）。
【００３５】上下のガイド部材は、一方をレール形状として他方を溝形状とすることができる。
【００３６】弾性体の窓開口用カバーは、曲げて変形させることによって工具を使用せずに脱着自在とすることができる。
【００３７】窓開口用カバーは、弾性体のガイド部材の変形によって工具を使用せずに脱着自在とすることができる。
【００３８】窓開口用カバーは、弾性体の被ガイド部材の変形によって工具を使用せずに脱着自在とすることができる。
【産業上の利用可能性】
【００３９】本考案は、開け放しても雨除け可能な窓開口用カバーに関するものであり、産業上の利用可能性を有する。
【符号の説明】
【００４０】００…空気
０１…屋内
０２…屋外
０３…家屋
１０…一式の窓
１２…窓枠
１２ａ…ガイド部材
１２ｂ…ガイド部材
１２ｃ…隙間を塞ぐ部材
１３ａ…窓
１３ｂ…窓
１３ｂ１…端面
１３ｂ２…端面
１４…開口
１５…間隙
２０…窓開口用カバー
２１…フレーム
２１ａ…補強フレーム
２２…被ガイド部材
２３…被ガイド部材
２４…板材
２５…金網
３０…換気扇
【図１】
0003234730.tif 000003
【図２】
0003234730.tif 000004
【図３】
0003234730.tif 000005
【図４】
0003234730.tif 000006
【図５】
0003234730.tif 000007
【図６】
0003234730.tif 000008
【図７】
0003234730.tif 000009
【図８】
0003234730.tif 000010
【図９】
0003234730.tif 000011
【図１０】
0003234730.tif 000012
【手続補正書】
【提出日】令和3年2月16日(2021.2.16)
【手続補正１】
【補正対象書類名】実用新案登録請求の範囲
【補正対象項目名】全文
【補正方法】変更
【補正の内容】
【実用新案登録請求の範囲】
【請求項１】
家屋に設けた窓枠と、該窓枠に設けた開閉自在な窓と、該窓の開閉によって形成される開口とを備えてなり、該開口とに間隙を設けつつ前記開口を閉じるように板材を取り付けることによって屋外から屋内への空気の流路を形成することを特徴とする窓開口用カバー。
【請求項２】
前記窓枠の上部と下部にそれぞれ設けるガイド部材と所定の寸法関係で対応する被ガイド部材とを設けることによって、工具を使用せずに脱着自在とすることを特徴とする請求項１記載の窓開口用カバー。
【請求項３】
前記板材の材質を樹脂とすることを特徴とする請求項１記載または請求項２記載の窓開口用カバー。
【請求項４】
両側に補強フレームを設けることを特徴とする請求項１ないし請求項３のいずれか１項に記載の窓開口用カバー。
【請求項５】
前記窓枠に前記ガイド部材を取り付けることを特徴とする請求項１または請求項２記載の窓開口用カバー。
【請求項６】
前記板材の材質を形板ガラスにすることを特徴とする請求項１または請求項２記載の窓開口用カバー。
【請求項７】
アルミサッシ網戸の金網の一部を上下方向に前記板材を取り付けることを特徴とする請求項１記載の窓開口用カバー。
【請求項８】
上下に戸車の被ガイド部材を取り付けることを特徴とする請求項７記載の窓開口用カバー
【手続補正書】
【提出日】令和3年6月15日(2021.6.15)
【手続補正１】
【補正対象書類名】実用新案登録請求の範囲
【補正対象項目名】全文
【補正方法】変更
【補正の内容】
【実用新案登録請求の範囲】
【請求項１】
家屋に設けた窓枠と、該窓枠に設けた開閉自在な窓と、該窓の開閉によって形成される開口とを備えてなり、該開口とに間隙を設けつつ前記開口を閉じるように板材を取り付けることによって屋外から屋内への空気の流路を形成することを特徴とする窓開口用カバー。
【請求項２】
前記窓枠の上部と下部にそれぞれ設けるガイド部材と所定の寸法関係で対応する被ガイド部材とを設けることによって、工具を使用せずに脱着自在とすることを特徴とする請求項１記載の窓開口用カバー。
【請求項３】
前記板材の材質を樹脂とすることを特徴とする請求項１記載または請求項２記載の窓開口用カバー。
【請求項４】
両側に補強フレームを設けることを特徴とする請求項１ないし請求項３のいずれか１項に記載の窓開口用カバー。
【請求項５】
前記窓枠に前記ガイド部材を取り付けることを特徴とする請求項２記載の窓開口用カバー。
【請求項６】
前記板材の材質を形板ガラスにすることを特徴とする請求項１または請求項２記載の窓開口用カバー。
【請求項７】
アルミサッシ網戸の金網の一部を上下方向に前記板材を取り付けることを特徴とする請求項１記載の窓開口用カバー。
【請求項８】
上下に戸車の被ガイド部材を取り付けることを特徴とする請求項７記載の窓開口用カバー